(57)【特許請求の範囲】
【請求項１】
マットレスの上面及び側面を覆うシーツにおいて、
矩形状のシーツ本体と、
このシーツ本体の四隅部に形成された凹部と、
上記シーツ本体の側縁部に上記各凹部を挟む状態で上記側縁部に沿って形成された各一対の袋部と、
ゴム紐及び長手方向ほぼ全長にわたるスリットが形成されこのスリットに上記ゴム紐の両端部を挿入して折り曲げて縫合することで回転自在に設けられたフックとを有し、上記ゴム紐を上記凹部を挟む一対の袋部に通すとともに上記フックを上記袋部に形成された切り線から導出して上記ゴム紐に対して一直線の状態からほぼ直角に回転させて上記袋部に係合させることで上記シーツ本体の隅部を上記ゴム紐によって弾性的に収縮させる連結具と
を具備したことを特徴とするマットレス用シーツ。
【請求項２】
上記ゴム紐は平ゴムであって、上記フックにはこの平ゴムを連結するスリット及びこのスリットの少なくとも一端部に形成された大径部とが形成されていることを特徴とする請求項１記載のマットレス用シーツ。
【発明の詳細な説明】
【０００１】
【発明の属する技術分野】
この発明はベッド用のマットレスに設けられるマットレス用シーツに関する。
【０００２】
【従来の技術】
一般に、ベッドにはマットレスが設けられ、このマットレスはシーツによって覆われる。マットレス用のシーツとしては、このマットレスに比べて十分に大きな矩形状の布地を用い、ベッドメーキング時には布地の周辺部を上記マットレスの下面側に折り込んで使用するということが行われている。
【０００３】
しかしながら、このようにシーツの周辺部をマットレスの下面側に折り込むだけでは、使用中にその折り込み状態が外れてシーツが丸まってしまうということがあるばかりか、そのシーツを折り込み代を有する大きさにしなければならないから、マットレスの大きさに比べて大きな布地が必要となるなどのことがあった。
【０００４】
そこで、矩形状の布地の周縁部の全長にわたって袋部を形成し、その袋部にゴム紐を通して布地の周縁部を弾性的に収縮させることでシーツとし、上記ゴム紐を伸ばしながらシーツの周辺部をマットレスの下面側に係合させるようにしたシーツが用いられている。
【０００５】
このようなシーツによれば、周縁部がマットレスの下面側に弾性的に係合しているから、使用に伴なってシーツの周縁部がマットレスから外れて丸まるようなことが防止でき、さらには周縁部を折り込む場合に比べて布地を小さくできる等のことがある。
【０００６】
しかしながら、このようなシーツによると、マットレスから外した状態では周縁部にゴム紐が設けられて収縮していることで、洗濯した後で全体を広げた状態で干すことができないから乾燥しにくいということがあったり、乾燥後のアイロン掛けがしにくく、さらにはアイロン掛け後にきちんと折り畳むことができないなどのことがあった。
【０００７】
【発明が解決しようとする課題】
このように、従来のマットレス用のシーツはマットレスから外れにくいように周辺部にゴム紐を設けて弾性的に収縮させているが、そのような構造であると、マットレスから取り外した状態では収縮してしまうため、洗濯して干しても乾きにくかったり、アイロン掛けがしにくいなどのことがあったり、さらにはきちんと折り畳むことができないなどのこともあった。
【０００８】
この発明は、ゴム紐によってマットレスに弾性的に設けることができるようにするとともに、マットレスから外したときには上記ゴムひもによって収縮することがないようにしたマットレス用シーツを提供することにある。
【０００９】
【課題を解決するための手段】
請求項１の発明は、マットレスの上面及び側面を覆うシーツにおいて、
矩形状のシーツ本体と、
このシーツ本体の四隅部に形成された凹部と、
上記シーツ本体の側縁部に上記各凹部を挟む状態で上記側縁部に沿って形成された各一対の袋部と、
ゴム紐及び長手方向ほぼ全長にわたるスリットが形成されこのスリットに上記ゴム紐の両端部を挿入して折り曲げて縫合することで回転自在に設けられたフックとを有し、上記ゴム紐を上記凹部を挟む一対の袋部に通すとともに上記フックを上記袋部に形成された切り線から導出して上記ゴム紐に対して一直線の状態からほぼ直角に回転させて上記袋部に係合させることで上記シーツ本体の隅部を上記ゴム紐によって弾性的に収縮させる連結具と
を具備したことを特徴とする。
【００１０】
請求項２の発明は、請求項１の発明において、上記ゴム紐は平ゴムであって、上記フックにはこの平ゴムを連結するスリット及びこのスリットの少なくとも一端部に形成された大径部とが形成されていることを特徴とする。
【００１１】
請求項１の発明によれば、シーツ本体の隅部に形成された袋部にゴム紐を通して設けられる連結具は、そのフックを回転させて袋部との係合を外すことでシーツ本体から取り除くことができるから、それによってシーツ本体の隅部の上記ゴム紐による収縮状態を除去することができる。
【００１２】
請求項２の発明は、平ゴムの長手方向と同じ方向にフックを回転させてその平ゴムを袋部に通したり、袋部から外すときに、上記平ゴムのフックに連結された部分がスリットの端部に形成された大径部によってフックと平ゴムとを直線状にできるから、ゴム紐の挿入や取り外しがし易くなる。
【００１３】
【発明の実施の形態】
以下、この発明の一実施の形態を図面を参照して説明する。
【００１４】
図３はベッド１を示し、このベッド１は長手方向一端にヘッドボード２が立設されたベッドフレーム３を備えている。このベッドフレーム３上にはマットレス４が載置され、このマットレス４はシーツ５によって覆われている。
【００１５】
上記シーツ５は図４に示すようにほぼ矩形状に形成された布地からなるシーツ本体６を有する。このシーツ本体６の四隅部にはそれぞれ角部を直角に除去した角型の凹部７が形成されている。
【００１６】
上記シーツ本体６の４つの側縁部には、それぞれその端部を内面側に折り曲げて縫い目８によって縫合した袋部９が角側縁部の長手方向全長にわたって形成されている。各側縁部の袋部９は、両端が上記凹部７に開放し、凹部７から所定寸法内方の部分にはその部分で袋部９を開口させる切り線１１が設けられている。
【００１７】
上記シーツ本体６の４つの隅部にはそれぞれ連結具１３が設けられている。この連結具１３は図２に示すようにゴム紐である平ゴム１４を有する。この平ゴム１４の両端部にはフック１５が連結されている。つまり、フック１５は比較的硬質な合成樹脂などによって上記袋部９の幅寸法よりも小さな幅寸法の帯状部材からなり、このフック１５には長手方向ほぼ全長にわたるスリット１６が形成されている。スリット１６の一端部にはこのスリット１６の幅寸法に比べて大径な大径部１７が形成されている。この大径部１７の内径寸法は上記平ゴム１４の幅寸法とほぼ同径あるいはわずかに大きいことが望ましい。
【００１８】
上記平ゴム１４はその両端部を上記スリット１６に挿入して折り曲げ、重合部分が縫合されている。それによって、上記平ゴム１４の両端部に上記フック１５がそれぞれ回転可能に連結されている。
【００１９】
上記連結具１３は、一方のフック１５を平ゴム１４と一直線となるように回転させ、そのフック１５をシーツ本体６の一側縁部に形成された袋部９の切り線１１からその内部に挿入し、その袋部９の凹部７に開放した端部から導出する。これを図４に矢印Ａで示す。
【００２０】
ついで、そのフック１５をシーツ本体６の上記一側縁部と隣接する側縁部に形成された袋部９の開口端から挿入し、平ゴム１４を伸ばしながらその袋部９の切り線１１から導出する。これを図４に矢印Ｂで示す。ついで、上記フック１５を平ゴム１４の長手方向に対してほぼ直角に回転させる。
【００２１】
それによって、図１に示すように、平ゴム１４の両端に設けられた一対のフック１５は、シーツ本体６の凹部７を挟む一対の袋部９の切り線１１の部分に係合した状態になるから、上記平ゴム１４の弾力性によってシーツ本体６の隅角部が収縮した状態となるとともに、凹部７を挟む両端が引張られることで、マットレス４の形状に対応したボックス状に変形する。
【００２２】
したがって、シーツ本体６でマットレス４の上面と外周面とを覆うことで、その周縁部を上記マットレス４の下面に上記平ゴム１４の弾力性によって係合させることができるから、シーツ本体６を使用中にマットレス４から外れるようなことなく設けることができる。
【００２３】
シーツ本体６を洗濯する場合には、マットレス４から外したならば、その四隅部に設けられた連結具１３を取り外す。つまり、平ゴム１４に設けられた一方のフック１５を平ゴム１４と一直線になるよう回転させ、切り線１１から一方の側縁部の袋部９内に挿入し、その袋部９から抜出する。同様に、他方のフック１５を平ゴム１４と一直線になるよう回転させ、切り線１１から他方の袋部９内に挿入し、その袋部９から抜出することで取り出す。
【００２４】
それによって、シーツ本体６の隅部の平ゴム１４による収縮状態が除去されるから、洗濯して干すときに丸まるようなことがないため、乾き易く、乾燥後にはアイロン掛けがし易く、さらにきちんと折り畳むこともできる。しかも、シーツ本体６は連結具１３を取り外して洗濯できるから、連結具１３が早期に損傷するのを防止することができる。
【００２５】
平ゴム１４を袋部９に通すときや袋部９から抜出するとき、フック１５を回転させることで、そのスリット１６に形成された大径部１７に上記平ゴム１４の端部を大きく丸まることなく位置させることができる。
【００２６】
それによって、フック１５と平ゴム１４とを図２に示すように一直線にすることができる。つまり、平ゴム１４の端部がフック１５の側方に出っ張った状態になるのを防止できる。そのため、平ゴム１４を上記袋部９に対して挿入したり、抜出するときに、袋部９に引っ掛かりにくいから、その作業を円滑に行うことができる。
【００２７】
また、シーツ本体６の角部に凹部７を形成したことで、その角部に連結具１３を設けたときに、その連結具１３の平ゴム１４の弾力性によってシーツ本体６の角部が収縮されることで、マットレス４の形状に対応するボックス状に変形させることができるから、上記シーツ本体６をマットレス４の形状に適応させてこのマットレス６に装着することができる。つまり、シーツ本体６を大きなたるみなどが生じるようなことなくマットレス６に外観的に良好に設けることができる。
【００２８】
この発明は上記一実施の形態に限定されず、種々変形可能である。たとえば、シーツ本体に形成する袋部はその側縁部の全長にわたって形成せずに、凹部を挟んで所定の長さだけ形成してもよい。また、フックにはその一端部だけでなく、両端部に大径部を形成するようにしてもよい。
【００２９】
【発明の効果】
請求項１の発明によれば、シーツ本体の隅部にゴム紐を袋部に通して設けられる連結具は、そのゴム紐に連結されたフックを回転させて袋部との係合を外すことでシーツ本体から取り除くことができるから、それによってシーツ本体の隅部の上記ゴム紐による収縮状態を除去することができる。
【００３０】
そのため、洗濯されたシーツ本体を干すときにその隅部が丸まった乾きにくいということがなく、またアイロン掛けがし易く、さらにはきちんと折り畳むことができる。さらに、連結具を取り外して洗濯できるため、連結具が傷みにくいなどのことがある
請求項２の発明は、平ゴムの長手方向と同じ方向にフックを回転させてその平ゴムを袋部に通したり、袋部から外すときに、上記平ゴムのフックに連結された部分がスリットの端部に形成された大径部に位置させることで、平ゴムとフックを直線状にすることができる。つまり、平ゴムの端部がフックの側方に出っ張るのを防止できる。
【００３１】
そのため、上記ゴム紐を袋部に通すとときに、そのゴム紐の端部が袋部に引っ掛かるのをなくすことができるから、上記袋部に対するゴム紐の挿入や取り外しを容易に行うことができる。
【図面の簡単な説明】
【図１】この発明の一実施の形態を示すシーツの隅部に連結具を設けた状態の説明図。
【図２】同じく連結具の平面図。
【図３】同じくベッドの斜視図。
【図４】同じく連結具を除去したシーツ本体の平面図。
【図５】（ａ）は同じくシーツが設けられたマットレスの下面側の斜視図、（ｂ）は同じくマットレスの角部下面側の平面図。
【符号の説明】
４…マットレス
５…シーツ
６…シーツ本体
７…凹部
９…袋部
１３…連結具
１４…平ゴム（ゴム紐）
１５…フック
【図１】
0003560829.tif 000002
【図２】
0003560829.tif 000003
【図３】
0003560829.tif 000004
【図４】
0003560829.tif 000005
【図５】
0003560829.tif 000006